(57)【要約】【課題】ケーブルが引っ掛かることのない雲台取付台を提供する。【解決手段】雲台を支持する本体部３４と、前記本体部の下部に取り付けられた脚部４２と、前記脚部４２に設けられ、接地して前記本体部３４を固定するストッパー５０と、を備えた雲台取付台３０において、前記ストッパー５０は、前記雲台取付台を持ち上げるのに把持可能な形状を有する取手部５６を備えると共に、接地して前記本体部３４を固定したときに、前記取手部５６が前記脚部４２の外周面から突出しないように構成されていることを特徴とする雲台取付台３０を提供することにより、前記課題を解決する。【選択図】      図２
2005242140.tif 000002
【特許請求の範囲】
【請求項１】
雲台を支持する本体部と、前記本体部の下部に取り付けられた脚部と、前記脚部に設けられ、接地して前記本体部を固定するストッパーと、を備えた雲台取付台において、
前記ストッパーは、前記雲台取付台を持ち上げるのに把持可能な形状を有する取手部を備えると共に、接地して前記本体部を固定したときに、前記取手部が前記脚部の外周面から突出しないように構成されていることを特徴とする雲台取付台。
【請求項２】
前記取手部は、略棒状の形状を有していることを特徴とする請求項１に記載の雲台取付台。
【請求項３】
請求項１又は請求項２に記載の雲台取付台であって、さらに、前記取手部を把持して、前記雲台取付台を持ち上げた時に、前記ストッパーが前記脚部から抜脱しない補強部材を備えたことを特徴とする雲台取付台。
【発明の詳細な説明】
【技術分野】
【０００１】
本発明は、雲台を支持するペデスタルや三脚等の雲台取付台に関する。
【背景技術】
【０００２】
テレビスタジオ等の撮影場所には、テレビカメラ装置を搭載する雲台が設置される。雲台は、テレビカメラ装置をパン／チルト動作させる機能を備え、雲台取付台によって支持される。
【０００３】
一方、放送局等のオペレータの操作場所には、オペレーションユニットが配置される。オペレーションユニットは、雲台及びテレビカメラ装置にケーブル等を介して接続され、雲台及びテレビカメラ装置を遠隔操作する。
【０００４】
図６（ａ）、（ｂ）に示すように、雲台取付台３０は、脚部４２に設けられるストッパー５０により接地して、固定される。
【０００５】
また雲台取付台３０は、上部に雲台やテレビカメラ装置等を搭載する関係上、強固な構造で重量が大きくなるため、移動用に雲台取付台３０の脚部４２に車輪４８が取り付けられ、作業者は車輪４８を転がして移動する（特許文献１参照）。
【０００６】
さらに雲台取付台３０には、図６（ａ）、（ｂ）に示すようなコ字状の突起部８０や、図７に示すような直方体の窪み部８２が脚部４２の側面に設けられる。雲台取付台３０の移動時に段差部等がある場合、作業者は該突起部８０や該窪み部８２を把持することにより、雲台取付台３０を撮影場所まで移動させる。
【特許文献１】特開２００２−２０４３７８号公報
【発明の開示】
【発明が解決しようとする課題】
【０００７】
しかしながら、前記従来の雲台取付台は、雲台取付台を撮影場所等に固定し、オペレーションユニットから遠隔操作でテレビカメラ装置をパン／チルト動作させた場合、雲台等に接続されるケーブルが突起部や窪み部に引っ掛かり、雲台の故障やケーブルの断線等の虞れがあった。
【０００８】
本発明は、このような事情に鑑みてなされたもので、雲台取付台にケーブルが引っ掛かることのない雲台取付台を提供することを目的とする。
【課題を解決するための手段】
【０００９】
前記目的を達成するために、請求項１に記載の発明に係る雲台取付台は、雲台を支持する本体部と、前記本体部の下部に取り付けられた脚部と、前記脚部に設けられ、接地して前記本体部を固定するストッパーと、を備えた雲台取付台において、前記ストッパーは、前記雲台取付台を持ち上げるのに把持可能な形状を有する取手部を備えると共に、接地して前記本体部を固定したときに、前記取手部が前記脚部の外周面から突出しないように構成されていることを特徴とする。
【００１０】
本発明によれば、雲台取付台のストッパーの取手部を、作業者が把持可能な形状とし、さらに、雲台取付台をストッパーにより接地して固定した時には、該取手部は雲台取付台の脚部の外周面から突出しないように取り付けられ、従来のように、雲台取付台を把持するための突起部等を新たに設ける必要がないため、雲台等に接続されるケーブルが該取手部に引っ掛かることがなく、雲台の故障やケーブルの破損を未然に防止することができる。
【００１１】
また、雲台取付台の移動時には、取手部は、脚部の外周から突出する構成をとることが可能であるため、作業者は該取手部を把持しやすく、段差部を超えるときの移動が容易となる。
【００１２】
また本発明に係る雲台取付台は、脚部に凹部を形成し、該凹部に取手部を収納する場合のみならず、外周面より突出する突起部等をカバー等の包囲材で該突起部を覆う場合も含み、いずれの場合もケーブルが取手部に引っ掛かることはない。
【００１３】
請求項２に記載の発明は、請求項１に記載の雲台取付台であって、前記取手部は、略棒状の形状を有していることを特徴とする。
【００１４】
本発明によれば、取手部は略棒状の形状を有していることにより、前述と同様の効果を奏する。
【００１５】
請求項３に記載の発明は、請求項１又は請求項２に記載の雲台取付台であって、さらに前記取手部を把持して、前記雲台取付台を持ち上げた時に、前記ストッパーが前記脚部から抜脱しない補強部材を備えたことを特徴とする。
【００１６】
本発明によれば、雲台取付台を持ち上げたときに、ストッパーが脚部から抜脱しない補強部材を備えたことにより、前述と同様の効果を奏するとともに、より安全かつ確実に雲台取付台を持ち上げて移動することができる。
【発明の効果】
【００１７】
本発明に係る雲台取付台によれば、雲台取付台のストッパーの取手部は、該雲台取付台の移動時に作業者が把持可能な形状を有し、さらに該雲台取付台を接地して固定した時には、該取手部は雲台取付台の脚部の外周面から突出しないため、雲台等に接続されているケーブルが該取手部に引っ掛かることがなく、雲台の故障やケーブルの破損を未然に防止することができる。
【発明を実施するための最良の形態】
【００１８】
図１は、本発明に係る雲台取付台が適用された雲台システムの全体構成図である。同図において、雲台装置１０はテレビスタジオに設置され、テレビカメラ装置２９を搭載し、前記テレビカメラ装置２９をパン方向／チルト方向に動作させる機能を備えている。この雲台装置１０は、雲台／カメラ制御器１４に多芯ケーブル又は複数のケーブル（以下、「雲台／カメラ制御ケーブル」と称する）１６を介して接続され、雲台／カメラ制御器１４は、オペレーションユニット１８にモデム２０、２２を介して電話回線２４により接続されている。なお電話回線２４を使用することなく、オペレーションユニット１８をケーブルを介して雲台／カメラ制御器１４に直結することも可能である。オペレーションユニット１８は、例えばテレビスタジオに隣接されたコントロール室から遠隔操作されて使用される。
【００１９】
オペレーションユニット１８には、オペレータが雲台装置１０のパン／チルト動作等の操作を行うための操作スイッチや、テレビカメラ装置２９の各種動作、処理についての操作及び設定を行うための操作スイッチ等が設けられており、オペレータがこれらの操作スイッチを操作すると、その操作に基づく制御信号が、電話回線２４を通じて雲台／カメラ制御器１４に伝送される。雲台／カメラ制御器１４は、オペレーションユニット１８から与えられた制御信号に基づいて、雲台装置１０に対する制御信号とテレビカメラ装置２９に対する制御信号とをそれぞれ雲台／カメラ制御ケーブル１６の所定の信号線を通じて雲台装置１０内の制御部及びテレビカメラ装置２９の制御部に送信する。これにより、雲台装置１０及びテレビカメラ装置２９は、オペレーションユニット１８での操作に従って動作する。
【００２０】
雲台装置１０は、雲台本体２６、雲台取付台３０、テレビカメラ装置２９が取り付けられるカメラハウジング（カメラ支持部）１２等から主に構成される。雲台本体２６及びテレビカメラ装置２８は、オペレーションユニット１８によって遠隔操作され、テレビカメラ装置２９のパン・チルト動作やフォーカス、ズーム調整などの各種制御が行われる。
【００２１】
雲台本体２６には、パン用モータ（図示省略）及びチルト用モータ（図示省略）が内蔵されている。パン用モータは、雲台本体２６の内周部に固定され、その出力軸に取り付けられたウォームギア（図示省略）が、図１で破線で示すパン軸２７に固定されたウォームホイール（図示省略）に噛合されている。これにより、パン用モータが駆動されると、ウォームギアがウォームホイールの周りを周回移動するので、ウォームギアと一緒に雲台本体２６がパン軸２７を中心に回動する。
【００２２】
チルト用モータの出力軸は、図１に破線で示すチルト軸２８に連結され、チルト軸２８には、カメラハウジング１２が連結されている。これにより、チルト用モータが駆動されると、チルト軸２８が回動するので、カメラハウジング１２がチルト軸２８を中心に揺動する。以上のパン用モータ及びチルト用モータの駆動によってカメラハウジング１２に設置されたテレビカメラ装置２９がパン／チルト動作される。
【００２３】
図２（ａ）は、本発明の第１の実施形態における、雲台取付台３０の平面図であり、図図２（ｂ）は、前記雲台取付台の側面図である。雲台取付台３０は、円柱状の台座部３２を備えている。前記台座部３２の上面には、内筒３５と外筒３６とから構成される伸縮可能な角柱状のポスト部３４が立設される。また前記台座部の上面には、雲台取付台３０のローカル／リモート操作を選択する選択スイッチ３７と、前記ポスト部３４を上下方向に伸縮させるためのスイッチ３８ａ、３８ｂが、図２（ａ）においてポスト部３２の右方向に、近接されている。また、ポスト部３４の上面には、円環状の雲台本体２６の据付台４０と支持部材３９が取り付けられている。前記据付台４０には、雲台本体２６を固着するためのボルト孔を複数備える。
【００２４】
台座部３２の側面下方には、前記台座部３２の略半分の高さをもつ略直方体の脚部４２が複数周設される。脚部４２は、図２（ａ）と図２（ｂ）に示すように、矩形状の短辺の一端を半円弧状とした上面４３と、前記上面４３の外縁に沿って形成される側面４４とを備える。
【００２５】
図３は、脚部４２の断面図を示す。図３において、脚部４２の内側には、脚部４２の略半分の高さの位置に、雲台取付台３０を支持する底板４６を内接する。
【００２６】
車輪４８は、底板４６の下面に固着される。車輪４８は、強固な構造で質量が重い雲台取付台３０の平坦部での移動を容易にする。
【００２７】
ストッパー５０は、雲台取付台３０を固定したときに、前記雲台取付台３０を支持する支持板５２と、前記支持板５２に立設する支持軸５４と、前記支持軸５４の上端部に取り付けられる連結部６４と、前記連結部６４に取り付けられる略棒状の形状を有する取手部５６と、から構成される。
【００２８】
支持軸５４には、ねじ溝６１が形成される。また、底板４６の略中央には、ねじ孔６０が形成される。前記支持軸５４を底板４６のねじ孔６０にねじ込むことにより、ストッパー５０を雲台取付台３０の脚部４２に取り付ける。
【００２９】
雲台取付台３０をストッパー５０により固定又は移動可能な状態とするためには、作業者は取手部５６を握り、前記取手部を回動する。取手部５６の回動により、連結部６４を介して支持軸５４が回動し、前記支持軸５４は底板４６のねじ孔６０と係合しているので、該支持軸５４及び支持板５２は上下に移動し、雲台取付台３０を固定又は移動可能な状態とすることができる。
【００３０】
従って、支持板５２が下方に移動するように取手部５６を回動し、該支持板５２の下面が車輪４８の下部より低くなれば、雲台取付台３０を固定状態とすることができる。なお、図２の示すように、脚部４２が複数ある場合は、前述の作業を全ての脚部４２に対して行う。
【００３１】
一方、支持板５２が上方に移動するように取手部５６を回動し、該支持板５２の下面が車輪４８の下部より高くなれば、雲台取付台３０を移動可能な状態とすることができる。そして作業者は、床面２９が平坦部であれば、車輪４８を転がして移動することができる。なお、図２の示すように、脚部４２が複数ある場合は、前述の作業を全ての脚部４２に対して行う必要がある。
【００３２】
以上のように、取手部５６は、連結部６４を介してストッパー５０の支持軸５４を回動し、雲台取付台３０を固定又は移動可能な状態とすることができ、ストッパー５０の握り部（回動部）として機能する。
【００３３】
本発明に係る雲台取付台３０において、取手部５６は、さらに、雲台取手部３０の把持部としての機能を有する。すなわち、雲台取付台３０を移動する際に段差部等がある場合に、作業者は取手部５６を把持することにより、雲台取付台３０を持ち上げることができるので、該段差部等を超えて移動することが可能となる。
【００３４】
取手部５６は、前述のとおり、略棒状の形状を有し、図６（ａ）に示すような略星状の形状を有する従来の取手部５６とは異なり、作業者は図２（ａ）図３の取手部５６を把持することが可能となる。従って、図６及び図７に示すように、雲台取付台３０を把持するための突起部８０や窪み部８２を新たに設ける必要がない。
【００３５】
また、雲台取付台３０の移動時に段差部等のある場合に、作業者によって取手部５６は把持され、上方に引っ張られることから、ストッパー５０の支持軸５４が底板４６から抜脱しないようにするための補強手段が備えられる。すなわち、図３に示すように、ナット５８が支持軸５４に締結され、その締結位置は底板４６の下方である。また、支持軸５４は、雲台取付台３０の質量に耐えうるように、従来に比べ、補強されている。
【００３６】
以上のように、取手部５６は雲台取付台３０の把持部として機能する。なお、取手部５６の表面は、ゴム等の滑り止め材料で処理してもよい。これにより、作業者が取手部５６を把持しても、滑りにくく、安全かつ確実に雲台取付台３０を持ち上げて移動することが可能となる。
【００３７】
脚部４２の上面４３の略中央部には、図２（ａ）及び図３に示すように、円孔を有しており、底板４６を底面とする凹部６２が形成されている。
【００３８】
本発明に係る雲台取付台３０においては、取手部５６は、雲台取付台３０をストッパーにより固定したときに、前記凹部６２に内接され、脚部４２の外周面から突出しない。
【００３９】
すなわち、図３に示すとおり、雲台取付台５０をストッパー５０により固定した場合に、取手部５６の上端部が、脚部４２の上面４３より低い位置となるように構成される。従って、雲台取付台３０を固定した後に、雲台本体２６等に接続されているケーブル１６が取手部５６に引っ掛かることがなく、雲台本体２６の故障やケーブル１６の断線や事故等を未然に防止することができる。
【００４０】
一方、雲台取付台３０が移動可能な状態にある場合、すなわち、作業者によって取手部５６が、支持軸５４及び支持板５２が上方に移動する方向に回動され、該支持板５２の下面が、車輪４８の下部より高くなっている場合には、取手部５６は、脚部４２の凹部６２に内接しないで、上面４３より突出していてもよい。雲台取付台３０が移動可能な状態にあるときは、通常、遠隔で雲台本体２６等の操作が行われず、雲台本体２６等に接続されているケーブルが取手部５６に引っ掛かることはないためである。
【００４１】
従って、雲台取付台３０が移動可能な状態にあるときに、取手部５６を脚部４２より突出させる構成をとることができるので、凹部６２に内接された取手部５６を把持する場合に比べて、作業者は取手部５６を把持しやすくなり、段差部等を超えるのが容易になる。
【００４２】
また、脚部４２に形成される凹部６２の位置は、図６に示すように、従来の雲台取付台３０の脚部４２に形成されている凹部６２の位置と略共通である。従って、本実施形態における雲台取付台３０を安価に製造することが可能である。
【００４３】
次に、本発明の第２の実施形態における、雲台取付台３０の脚部４２の構成を示す。図４は、雲台取付台３０が移動可能な状態にある場合の脚部４２の構成を示し、図４（ａ）は該脚部４２の平面図を示し、図４（ｂ）は該脚部４２の断面図を示す。図５は、雲台取付台３０が固定された状態にある場合の脚部４２の構成を示し、図５（ａ）は該脚部４２の平面図を示し、図５（ｂ）は該脚部４２の断面図を示す。図４及び図５中、図２と共通する部分には同一の符号を付してある。
【００４４】
図４及び図５に示すように、本実施形態に係る取手部５６は、半円弧状の把持部６６と、棒状の取付部６８とから構成される。また、連結部６４は、取付部６８と、支持軸５４を連結する。
【００４５】
取手部５６は、連結部６４に取り付けられた取付部６８を軸心として、図４に示すような把持部６６が鉛直方向にある状態と、図５に示すような把持部６６が水平方向にある状態とを相互に回動可能である。
【００４６】
雲台取付台３０は移動可能な状態にある場合、すなわち、ストッパー５０の支持板５２の下面が、車輪４８の下部より高い位置にあり、車輪４８の下部は床面２９と接している場合には、本実施形態においては、図４（ｂ）に示すように、把持部６６は取付部６８に対して鉛直方向に位置する。
【００４７】
すなわち、雲台取付台３０を移動可能な状態にある場合、取手部５６の上端部は、脚部４２から突出するが、通常、遠隔操作等は行われないため、ケーブル等が取手部５６に引っ掛かることはない。さらに、脚部４２から取手部５６が突出している方が、作業者は取手部５６を把持しやすく、安全かつ確実に雲台取付台３０を移動することできる。
【００４８】
一方、雲台取付台３０は固定された状態にある場合、すなわち、ストッパー５０の支持板５２の下面が、車輪４８の下部より低い位置にあり、支持板５２の下面は床面２９と接している場合には、本実施形態においては、図５（ｂ）に示すように、把持部６６は取付部６８に対して水平方向に位置する。
【００４９】
すなわち、雲台取付台３０を固定状態とした場合、取手部５６は、脚部４２に形成される凹部６２に内接されるため、ケーブル等が取手部５６に引っ掛かることはなく、雲台本体２６等の故障やケーブルの破損を未然に防止することができる。
【００５０】
以上、本発明の雲台取付台について詳細に説明したが、本発明は、以上の例には限定されず、本発明の要旨を逸脱しない範囲において、各種の改良や変形を行ってよいのはもちろんである。
【図面の簡単な説明】
【００５１】
【図１】本発明に係る雲台取付台が適用された雲台システムの全体構成図である。
【図２】本発明の第１実施形態に係る雲台取付台の構成図である。
【図３】本発明の第１実施形態に係る雲台取付台の脚部の断面図である。
【図４】本発明の第２実施形態に係る、移動可能な状態にある雲台取付台の脚部の構成図である。
【図５】本発明の第２実施形態に係る、固定状態にある雲台取付台の脚部の構成図である。
【図６】雲台取付台に係る第１の従来例の構成図である。
【図７】雲台取付台に係る第２の従来例の脚部の構成図である。
【符号の説明】
【００５２】
１０…雲台装置、１８…オペレーションユニット、２６…雲台本体、３０…雲台取付台、４２…脚部、４８…車輪、５０…ストッパー、５６…取手部
【図１】
2005242140.tif 000003
【図２】
2005242140.tif 000004
【図３】
2005242140.tif 000005
【図４】
2005242140.tif 000006
【図５】
2005242140.tif 000007
【図６】
2005242140.tif 000008
【図７】
2005242140.tif 000009